(57)【要約】【課題】軽量であって取り扱い易く、安価なコストで得ることができ、狭いスペースに保管することができ、また使用後の廃棄処分を簡単に行うことができ、しかも自動販売機本体に確実に固定することができる自動販売機の梱包具を提供する。【解決手段】自動販売機本体１を下方から支える自動販売機の梱包具１１を４組の支持台１２から形成し、各支持台１２の載置面１３の一端側に本体１に側板１５を当接させる当接突起１６を、他端側にレベルボルト挿通孔１７を形成し、各支持台１２の一端側には載置面１３側から下方に順に溝孔１９、上開口部２２及び下開口部２４を形成し、レベルボルト挿通孔１７に挿通したレベルボルト７を溝孔１９、上開口部２２及び下開口部２４の一端側に移動させてねじ軸部１８、角柱部２０及び着座部２３を溝孔１９、中抜き部２２及び開口部２４の一端に当接させ、レベルボルト７をねじ締めして各支持台１２を自動販売機本体１の底板５に固定するようにした。【選択図】　図７
2004042929.tif 000002
【特許請求の範囲】
【請求項１】
自動販売機本体の底部の複数箇所に、自動販売機本体の支持高さ調整用のレベルボルトが設けられている自動販売機を下から支える梱包具であって、
前記自動販売機本体の底部における各レベルボルトが設けられている箇所及びその近傍箇所を下方から支えるための複数の支持台から形成し、前記各支持台は、上面側を自動販売機本体の底部を載せる載置面となすとともに下面側を接地面となし、
レベルボルトを通してねじ締めさせた際にレベルボルトの着座部の上面部分に当接する開口部壁を形成し、
レベルボルトをねじ締めすることにより、支持台が自動販売機本体の底部とレベルボルトの着座部とにより挟持されて自動販売機本体の底部に固定されるように構成した
ことを特徴とする自動販売機の梱包具。
【請求項２】
前記レベルボルトは、自動販売機本体の底部に螺合するねじ軸部と、ねじ軸部の下方に設けられねじ軸部よりも大径の着座部とからなり、
前記各支持台の一端側には、自動販売機本体の側面又は前後面の下端部を当接させるための当接突起を載置面から上方に突出するように設け、他端側には、前記自動販売機本体の底部から下方に突出したレベルボルトを挿通するための載置面側から接地面側に貫通したレベルボルト挿通孔を形成し、
前記当接突起とレベルボルト挿通孔との間には、前記載置面から下方に、レベルボルト挿通孔からねじ軸部の直径に応じた幅で切り込まれて、ねじ軸部が収納される溝孔を形成し、前記溝孔の下方には、レベルボルト挿通孔に連通するとともに前記溝孔の下端開口面から接地面側に開口され、かつ着座部の少なくとも一部が収納される開口部を形成してなり、
前記各支持台のレベルボルト挿通孔にレベルボルトを挿通して各支持台を所定方向に移動させることにより、レベルボルトのねじ軸部と、着座部の少なくとも一部とをそれぞれ溝孔及び開口部に収納させるとともに、自動販売機本体の側面又は前後面の下端部を前記当接突起に当接させ、前記レベルボルトをねじ締めすることにより支持台が自動販売機本体の底部とレベルボルトの着座部とにより挟持されて自動販売機本体の底部に固定されるように構成した
ことを特徴とする請求項１記載の自動販売機の梱包具。
【請求項３】
前記支持台を合成樹脂発泡体から形成したことを特徴とする請求項１又は２記載の自動販売機の梱包具。
【請求項４】
前記合成樹脂発泡体が発泡倍率１０〜３０倍のポリスチレン発泡体であることを特徴とする請求項３記載の自動販売機の梱包具。
【発明の詳細な説明】
【０００１】
【発明の属する技術分野】
本発明は、自動販売機の梱包具に関するものである。
【０００２】
【従来の技術】
従来、自動販売機を運搬などのために梱包する際には、例えば図１０、図１１に示すように、自動販売機本体１にビニールシートなどからなる包装袋２を被せるとともに自動販売機本体１の天板３側に段ボールからなる函状の天板保護材４を被せ、底板５側を、木材からなり横桟６ａと縦桟６ｂとを組み立てることにより一体に形成された底板５のサイズよりも一回り大きいサイズの木製のパレット６で支え、底板５の四隅より下方に突出した設置姿勢調整用のレベルボルト７を、パレット６の横桟６ａに形成した挿通孔６ｃに挿通し、さらに、天板保護材４とパレット６の外側から複数の包装バンド８で巻き締めすることが行われている。
【０００３】
【発明が解決しようとする課題】
しかし、前記梱包に使用される梱包材料ないしは梱包具のうち、底板５側を支えるパレット６は木材を組み立てることにより一体に形成したものであるため、重さが重く、持ち運びに労力を要し、コストが高いものであり、また、自動販売機本体１のサイズよりも一回り大きいことから、これを保管するためには広いスペースが必要になり、また、使用後の廃棄処分の費用が嵩むなどの問題点があった。
【０００４】
そこで、本発明は、前記問題点を解決するものであって、軽量であって取り扱い易く、安価なコストで得ることができ、狭いスペースに保管することができ、また使用後の廃棄処分を簡単に行うことができ、しかも自動販売機本体に確実に固定することができる自動販売機の梱包具を提供することを課題とする。
【０００５】
【課題を解決するための手段】
前記問題点を解決するために本発明の自動販売機の梱包具は、自動販売機本体の底部の複数箇所に、自動販売機本体の支持高さ調整用のレベルボルトが設けられている自動販売機を下から支える梱包具であって、前記自動販売機本体の底部における各レベルボルトが設けられている箇所及びその近傍箇所を下方から支えるための複数の支持台から形成し、前記各支持台は、上面側を自動販売機本体の底部を載せる載置面となすとともに下面側を接地面となし、レベルボルトを通してねじ締めさせた際にレベルボルトの着座部の上面部分に当接する開口部壁を形成し、レベルボルトをねじ締めすることにより、支持台が自動販売機本体の底部とレベルボルトの着座部とにより挟持されて自動販売機本体の底部に固定されるように構成したことを特徴とするものである。
【０００６】
前記構成によれば、梱包具を自動販売機本体の底部を複数箇所で下方から支えるための複数の支持台から形成したので、従来の木材を組み合わせることにより一体に形成したパレットと比べると、自動販売機本体に対する梱包具のサイズが小さくなるため、軽量であって取り扱い易く、また、狭いスペースに保管することができ、使用後の廃棄処分を簡単に行うことができる。しかも、レベルボルトをねじ締めすることにより、支持台が自動販売機本体の底部とレベルボルトの着座部とにより挟持されて自動販売機本体の底部に固定されるように構成したので、支持台を自動販売機本体に確実に固定することができ、支持台を取り外すに際してもレベルボルトを緩めることにより簡単に取り外すことができる。
【０００７】
また、請求項２に記載の発明は、前記構成において、前記レベルボルトは、自動販売機本体の底部に螺合するねじ軸部と、ねじ軸部の下方に設けられねじ軸部よりも大径の着座部とからなり、前記各支持台の一端側には、自動販売機本体の側面又は前後面の下端部を当接させるための当接突起を載置面から上方に突出するように設け、他端側には、前記自動販売機本体の底部から下方に突出したレベルボルトを挿通するための載置面側から接地面側に貫通したレベルボルト挿通孔を形成し、前記当接突起とレベルボルト挿通孔との間には、前記載置面から下方に、レベルボルト挿通孔からねじ軸部の直径に応じた幅で切り込まれて、ねじ軸部が収納される溝孔を形成し、前記溝孔の下方には、レベルボルト挿通孔に連通するとともに前記溝孔の下端開口面から接地面側に開口され、かつ着座部の少なくとも一部が収納される開口部を形成してなり、前記各支持台のレベルボルト挿通孔にレベルボルトを挿通して各支持台を所定方向に移動させることにより、レベルボルトのねじ軸部と、着座部の少なくとも一部とをそれぞれ溝孔及び開口部に収納させるとともに、自動販売機本体の側面又は前後面の下端部を前記当接突起に当接させ、前記レベルボルトをねじ締めすることにより支持台が自動販売機本体の底部とレベルボルトの着座部とにより挟持されて自動販売機本体の底部に固定されるように構成したことを特徴とするものである。
【０００８】
前記構成によれば、各支持台のレベルボルト挿通孔にレベルボルトを挿通して各支持台を所定方向に移動させることにより、レベルボルトのねじ軸部と、着座部の少なくとも一部とをそれぞれ溝孔及び開口部に収納させるようにしたので、自動販売機本体の側面又は前後面の下端部を当接突起に当接させるようにしたことと相俟って、支持台を自動販売機本体により確実に固定することができる。
【０００９】
また、請求項３に記載の発明は、前記構成において、前記支持台を合成樹脂発泡体から形成したことを特徴とするものである。
前記構成によれば、合成樹脂発泡体から形成したことにより、支持台をより軽量にすることができる。
【００１０】
さらに、請求項４に記載の発明は、前記構成において、前記合成樹脂発泡体が発泡倍率１０〜３０倍のポリスチレン発泡体であることを特徴とするものである。
【００１１】
前記構成によれば、支持台をより軽量にすることができるとともに、発泡倍率１０〜３０倍のポリスチレン発泡体が有する適度の硬さのために、支持台が自動販売機本体の自重によって圧縮変形するおそれが少ない。
【００１２】
【発明の実施の形態】
以下、本発明の一実施の形態における自動販売機の梱包具について添付図面に基づいて説明する。なお、従来技術と同機能を有するものについては同符号を付す。
【００１３】
図１〜図７において、１１は本発明における自動販売機の梱包具であって、この梱包具１１は自動販売機本体１の底板５の四隅にレベルボルト７が設けられている自動販売機の梱包に用いられる。前記レベルボルト７は、自動販売機本体１の底板５に螺合されたねじ軸部１８と、ねじ軸部１８の下端に固定されねじ軸部１８よりも大径の角柱部２０及び角柱部２０の下方に設けられ角柱部２０よりも大径の接地部２３からなる着座部１０とより構成されている。前記梱包具１１は自動販売機本体１の前記底板５のレベルボルト７が設けられている四隅を下から支えるための４組の支持台１２から形成されている。なお、図２〜図７においては、４組の支持台１２のうち、１つの支持台１２を示した。
【００１４】
図２〜図７に示したように、各支持台１２はポリスチレンを発泡倍率２０倍で発泡成形して得られた略直方体状のポリスチレン発泡体から形成されており、上面側が自動販売機本体１の底板５の隅部を載せる載置面１３に形成され、下面側が接地面１４に形成されている。この支持台１２の長さ方向の一端側にはその幅方向に沿って自動販売機本体１の側板１５の下端部を当接させるための当接突起１６が載置面１３の上方に突出して設けられ、長手方向の他端側には載置面１３側から接地面１４側に貫通したレベルボルト挿通孔１７が形成されている。このレベルボルト挿通孔１７は支持台１２の他端側寄りが断面半円弧状に形成され、支持台１２の一端側寄りが断面方形に形成され、このレベルボルト挿通孔１７に自動販売機本体１の底板５から下方に突出したレベルボルト７を挿通するようになっている。
【００１５】
前記当接突起１６とレベルボルト挿通孔１７との間には、前記載置面１３から下方にレベルボルト７のねじ軸部１８の前記底板５からの突出長さに応じた深さにねじ軸部１８の直径に応じた幅で切り込まれた溝孔１９が形成されており、この溝孔１９は一端が当接突起１６側に位置し他端がレベルボルト挿通孔１７に連通している。
【００１６】
前記溝孔１９の下方には、前記溝孔１９の下端開口面１９ａから下方にレベルボルト７の角柱部２０の長さに応じた深さに角柱部２０の外接円の直径に応じた幅で幅方向の中心２１が前記溝孔１９の幅方向の中心２１と一致するように切り込まれた上開口部２２が形成されており、この上開口部２２は一端が前記溝孔１９よりも角柱部２０の外接円の半径ｒ１とねじ軸部１８の半径ｒ２の差に応じた長さ（ｒ１−ｒ２）だけ当接突起１６寄りに位置し他端側がレベルボルト挿通孔１７に連通している。
【００１７】
さらに、前記上開口部２２の下方には、前記上開口部２２の下端開口面２２ａから接地面１４側にレベルボルト７の接地部２３の直径に応じた幅で幅方向の中心が前記溝孔１９の中心２１と一致するように開口された下開口部２４が形成され、その一端が前記上開口部２２よりも接地部２３の半径ｒ３と角柱部の半径ｒ１の差（ｒ３−ｒ１）に応じた長さだけ当接突起１６寄りに位置するとともにその当接突起１６側が断面半円弧状に形成され、他端側がレベルボルト挿通孔１７に連通している。
【００１８】
前記のように、上開口部２２の一端を前記溝孔１９よりも角柱部２０の外接円の半径ｒ１とねじ軸部１８の半径ｒ２の差に応じた長さ（ｒ１−ｒ２）だけ当接突起１６寄りに位置させるとともに、下開口部２４の一端を上開口部２２よりも接地部２３の半径ｒ３と角柱部の半径ｒ１の差（ｒ３−ｒ１）に応じた長さだけ当接突起１６寄りに位置させることにより、レベルボルト７のねじ軸部１８が溝孔１９の一端に当接したときに、角柱部２０、接地部２３がそれぞれ上開口部２２の一端、下開口部２４の一端に当接されるようになっている。
【００１９】
そして、前記支持台１２のレベルボルト挿通孔１７にレベルボルト７を挿通して、各支持台１２の一端側に移動させることにより、レベルボルト７のねじ軸部１８、角柱部２０及び接地部２３をそれぞれ溝孔１９、上開口部２２及び下開口部２４の一端側に当接させるとともに、自動販売機本体１の側板１５の下端部を当接突起１６に当接させることができ、この状態で前記レベルボルト７をねじ締めすることにより支持台１２を自動販売機本体１の底板５に固定するように構成されている。
【００２０】
前記構成の梱包具１１を用いて自動販売機を梱包するに際しては、例えば自動販売機の組立て工程において、自動販売機本体１の外殻を構成する外箱内に各種部品を組み付ける前に、自動販売機本体１を横転させてレベルボルト７が浮いた状態にし、この状態で、前記のように支持台１２のレベルボルト挿通孔１７にレベルボルト７を挿通して各支持台１２の一端側に移動させることにより、レベルボルト７のねじ軸部１８、角柱部２０及び接地部２３をそれぞれ溝孔１９、上開口部２２及び下開口部２４の一端に当接させるとともに、自動販売機本体１の側板１５の下端部を当接突起１６に当接させる。そして、前記各支持台１２の下開口部２４の接地面１４側から手を挿入して接地部２３を所定方向（右方向）に回転させ、レベルボルト７を底板５側に締め込むことにより、角柱部２０の上面部分を溝孔１９の下端開口面１９ａに当接させるとともに接地部２３の上面部分を上開口部２２の下端開口面２２ａに当接させ、それにより各支持台１２が自動販売機本体１２に固定される。
【００２１】
次いで、自動販売機本体１の外殻を構成する外箱内に各種部品を組み付けた後、図１に示すように、自動販売機本体１にビニールシートなどからなる包装袋２を被せるとともに天板３側に段ボールからなる函状の天板保護材４を被せ、天板保護材４と包装袋２の外側から複数の包装バンド８で巻き締めし、これにより自動販売機が梱包される。
【００２２】
前記構成によれば、梱包具１１を４組の支持台１２から形成したので、自動販売機本体１に対する梱包具１１のサイズが小さくなるため、軽量であって取り扱い易く、また、狭いスペースに保管することができ、使用後の廃棄処分を簡単に行うことができる。また、支持台１２を発泡倍率２０倍のポリスチレン発泡体から形成したので、ポリスチレン発泡体の軽量性により一層軽量にすることができ、さらに、発泡倍率２０倍のポリスチレン発泡体が有する適度の硬度が反映され、支持台１２が自動販売機本体１の自重によって圧縮変形することが少ないものである。しかも、支持台１２の一端側に形成した溝孔１９、上開口部２２及び下開口部２４の一端にレベルボルト７のねじ軸部１８、角柱部２０及び接地部２３をそれぞれ当接させるとともに、レベルボルト７をねじ締めすることにより、角柱部２０の上面部分を溝孔１９の下端開口面１９ａに当接させるとともに接地部２３の上面部分を上開口部２２の下端開口面２２ａに当接させて各支持台１２を自動販売機本体１２に固定するようにしたので、自動販売機本体１の側板１５の下端部を当接突起１６に当接させるようにしたことと相俟って、支持台１２を自動販売機本体１に確実に固定することができ、取り外すに際してもレベルボルト７を緩めることにより簡単に取り外すことができる。
【００２３】
本実施の形態では、下開口部２４の当接突起１６側の形状を断面半円弧状に形成したが、断面方形に形成してもよい。
また、本実施の形態では、自動販売機本体１の側板１５の下端部を当接突起１６に当接させるようにしたが、自動販売機本体１の前面側（扉側）と背面側（背面板側）を当接突起１６に当接させるように構成してもよい。
【００２４】
また、支持台１２に形成したレベルボルト挿通孔１７の下方に、図８に示すような補強片２５を形成して支持台１２の強度を保持するようにすることもできる。
【００２５】
さらに、本実施の形態では、レベルボルト７の着座部１０を角柱部２０と接地部２３とから形成したが、図９に示すように、着座部１０は角柱部２０のみから形成し、支持台１２にこれを収納するために例えば下開口部２４に相当するような開口部２６を形成するようにしてもよい。また、着座部１０は接地部２３のみから形成することもできる。
【００２６】
さらに、本実施の形態では、自動販売機本体１の底板５の四隅にそれぞれレベルボルト７が設けられている自動販売機について説明したが、本発明の梱包具１１は、底板５の四隅に設けられたレベルボルト７の間に、さらに１つ又は２つ以上のレベルボルト７が設けられた自動販売機に用いることもできる。
【００２７】
また、本実施の形態では、支持台１２を発泡倍率２０倍のポリスチレン発泡体から形成したが、発泡倍率が１０〜３０倍の範囲であれば、同様の効果を奏する。つまり、発泡倍率が１０倍より小さいと、梱包具１１が重くなったり、角柱部２０又は接地部２３の上面部分を溝孔１９の下端開口面１９ａ又は上開口部２２の下端開口面２２ａに押し付けて固定することが困難となって、取り扱い難くなり、一方、発泡倍率が３０倍を超えると、支持台１２としての強度が不足して支持台１２が変形したり、損傷したりするおそれがあるが、発泡倍率を１０〜３０倍の範囲にすることで、軽くて取り扱い易く、かつ支持台１２としての強度も十分に確保することができる。
【００２８】
【発明の効果】
以上述べたように、本発明の自動販売機の梱包具によれば、軽量であって取り扱い易く、また、狭いスペースに保管することができ、使用後の廃棄処分を簡単に行うことができる。しかも、支持台を自動販売機本体に確実に固定することができ、支持台を取り外すに際してもレベルボルトを緩めることにより簡単に取り外すことができる。
【００２９】
また、請求項２に記載の発明によれば、支持台を自動販売機本体により確実に固定することができる。
また、請求項３に記載の発明によれば、支持台をより軽量にすることができる。
【００３０】
さらに、請求項４に記載の発明によれば、支持台をより軽量にすることができるとともに、支持台が自動販売機本体の自重によって圧縮変形するおそれが少ない。
【図面の簡単な説明】
【図１】自動販売機を梱包した状態を示す正面図である。
【図２】本発明の一実施の形態における自動販売機の梱包具を示す斜視図である。
【図３】同上の上面図である。
【図４】同上のＡ−Ａ線断面図である。
【図５】同上のＢ−Ｂ線断面図である。
【図６】同上の底面図である。
【図７】支持台を自動販売機本体に固定した状態を示す断面図である。
【図８】本発明の他実施の形態における自動販売機の梱包具を示す断面図である。
【図９】本発明の他実施の形態における自動販売機の梱包具を示す断面図である。
【図１０】従来の梱包具により自動販売機を梱包した状態を示す正面図である。
【図１１】同上の梱包具を示す斜視図である。
【符号の説明】
１　　自動販売機本体
２　　包装袋
３　　天板
４　　天板保護材
５　　底板
７　　レベルボルト
８　　包装バンド
１０　着座部
１１　梱包具
１２　支持台
１３　載置面
１４　接地面
１５　側板
１６　当接突起
１７　レベルボルト挿通孔
１８　ねじ軸部
１９　溝孔
１９ａ　溝孔の下端開口面
２０　角柱部
２１　中心
２２　上開口部
２２ａ　上開口部の下端開口面
２３　接地部
２４　下開口部
２５　補強片
２６　開口部
【図１】
2004042929.tif 000003
【図２】
2004042929.tif 000004
【図３】
2004042929.tif 000005
【図４】
2004042929.tif 000006
【図５】
2004042929.tif 000007
【図６】
2004042929.tif 000008
【図７】
2004042929.tif 000009
【図８】
2004042929.tif 000010
【図９】
2004042929.tif 000011
【図１０】
2004042929.tif 000012
【図１１】
2004042929.tif 000013